(57)【要約】【課題】共通の配線基板上に配設された二つのチューナ回路の高周波アイソレーションを確保しやすいダイバーシティ受信用チューナを提供すること。【解決手段】ダイバーシティ受信用チューナ１は、外部接続端子３が設けられた矩形状の配線基板２と、第１の集積回路４を有する第１のチューナ回路と、第２の集積回路５を有する第２のチューナ回路とを備え、集積回路４，５が配線基板２上で長手方向にずらした領域に実装配置されている。外部接続端子３群のうちの一つは電源端子３ａである。電源端子３ａから配線基板２上へ導出されたリードパターン６は分岐部６ａを介して各集積回路４，５へ引き回されており、分岐部６ａから第１の集積回路４に至るリードパターン６ｂの最短経路長と、分岐部６ａから第２の集積回路５に至るリードパターン６ｃの最短経路長との和が、両集積回路４，５どうしの離間距離ｄに比して十分大きくなるように引き回している。【選択図】図１
2008301096.tif 000002
【特許請求の範囲】
【請求項１】
複数の外部接続端子が設けられた矩形状の配線基板と、この配線基板上で長手方向にずらした領域に実装配置された第１のチューナ回路および第２のチューナ回路とを備え、前記第１のチューナ回路が第１の集積回路を有すると共に前記第２のチューナ回路が第２の集積回路を有し、かつ前記外部接続端子の一つが前記第１および第２のチューナ回路に電源を供給する電源端子であるダイバーシティ受信用チューナであって、
前記電源端子から前記配線基板上へ導出されたリードパターンが、前記第１の集積回路と前記第２の集積回路から略等距離の位置にある二股の分岐部を介して両集積回路へ引き回されていると共に、前記分岐部から前記第１の集積回路に至る前記リードパターンの最短の経路長と、前記分岐部から前記第２の集積回路に至る前記リードパターンの最短の経路長との和が、これら両集積回路どうしの離間距離に比して十分大きくなるように該リードパターンを引き回したことを特徴とするダイバーシティ受信用チューナ。
【請求項２】
請求項１の記載において、前記第１の集積回路は、受信ＲＦ信号が入力される導出端子の存する一辺が前記配線基板の長手方向一端寄りの辺となるように実装配置されており、かつ前記第２の集積回路は、受信ＲＦ信号が入力される導出端子の存する一辺が前記配線基板の長手方向他端寄りの辺となるように実装配置されていることを特徴とするダイバーシティ受信用チューナ。
【請求項３】
請求項１または２の記載において、前記第１のチューナ回路が局部発振回路の構成要素で前記第１の集積回路に内設されていない第１の同調用コイルを有しており、この第１の同調用コイルが前記配線基板の長手方向一端側の隅部に実装配置されていると共に、前記第２のチューナ回路が局部発振回路の構成要素で前記第２の集積回路に内設されていない第２の同調用コイルを有しており、この第２の同調用コイルが前記配線基板の長手方向他端側の隅部に実装配置されていることを特徴とするダイバーシティ受信用チューナ。
【発明の詳細な説明】
【技術分野】
【０００１】
本発明は、共通の配線基板上に第１のチューナ回路と第２のチューナ回路とが実装配置されているダイバーシティ受信用チューナに係り、特に、配線基板に設けられた一つの電源端子から第１および第２のチューナ回路の各集積回路に電源が供給されるダイバーシティ受信用チューナに関する。
【背景技術】
【０００２】
一般的にダイバーシティ受信用チューナは、少なくとも高周波増幅段と高周波信号選択フィルタと局部発振回路とＰＬＬ（Phase Locked Loop）回路と周波数ミキサとを備えた同一機能を有する二つのチューナ回路が、共通の配線基板上に実装配置された構成となっている。また、各チューナ回路をそれぞれ集積化して小型化を図り、配線基板上に２個の集積回路を並設した構成のダイバーシティ受信用チューナも広く知られている。
【０００３】
このように二つのチューナ回路が実装配置されている配線基板には複数の外部接続端子が設けられており、所定の外部接続端子である電源端子から配線基板上へ導出されたリードパターンを介して各チューナ回路に電源が供給されるようになっている（例えば、特許文献１参照）。
【特許文献１】特開２００５−３１８０５３号公報（第４−６頁、図２）
【発明の開示】
【発明が解決しようとする課題】
【０００４】
ところで、共通の配線基板上に二つのチューナ回路を実装配置している従来のダイバーシティ受信用チューナでは、通常のリードパターンを設計する場合と同様に、電源端子から配線基板上へ導出されたリードパターンが最短距離で各チューナ回路と導電接続できるように配線レイアウトされている。しかしながら、各チューナ回路の局部発振回路を構成する電圧制御発振器（ＶＣＯ）等から出力される高周波信号が、電源供給用のリードパターンを経由して不所望方向へ伝送されやすいため、特に小型化されたダイバーシティ受信用チューナの場合、電源供給用のリードパターンが各チューナ回路の高周波信号間のアイソレーションを阻害する要因となっていた。
【０００５】
本発明は、このような従来技術の実情に鑑みてなされたもので、その目的は、共通の配線基板上に配設された二つのチューナ回路の高周波アイソレーションを確保しやすいダイバーシティ受信用チューナを提供することにある。
【課題を解決するための手段】
【０００６】
上記の目的を達成するために、本発明では、複数の外部接続端子が設けられた矩形状の配線基板と、この配線基板上で長手方向にずらした領域に実装配置された第１のチューナ回路および第２のチューナ回路とを備え、前記第１のチューナ回路が第１の集積回路を有すると共に前記第２のチューナ回路が第２の集積回路を有し、かつ前記外部接続端子の一つが前記第１および第２のチューナ回路に電源を供給する電源端子であるダイバーシティ受信用チューナであって、前記電源端子から前記配線基板上へ導出されたリードパターンが、前記第１の集積回路と前記第２の集積回路から略等距離の位置にある二股の分岐部を介して両集積回路へ引き回されていると共に、前記分岐部から前記第１の集積回路に至る前記リードパターンの最短の経路長と、前記分岐部から前記第２の集積回路に至る前記リードパターンの最短の経路長との和が、これら両集積回路どうしの離間距離に比して十分大きくなるように該リードパターンを引き回すという構成にした。
【０００７】
このように電源供給用のリードパターンを第１の集積回路と第２の集積回路から略等距離の位置にある分岐部を介して各集積回路へ引き回し、該分岐部から各集積回路に至るリードパターンの最短経路長の和が両集積回路どうしの離間距離に比して十分大きくなるように配線レイアウトすることによって、両集積回路を電気的に連結するリードパターンの長さを意図的に長くして、そのインピーダンスを大きくすることができる。こうすることによって、一方の集積回路の電圧制御発振器等から出力された高周波信号が該リードパターンを経由して他方の集積回路へ伝送されても、途中でほとんど減衰してしまうためノイズとはなりにくく、それゆえ第１および第２の集積回路どうしの高周波アイソレーションが高まって、品質が向上させやすくなる。
【０００８】
上記の構成において、第１の集積回路は、受信ＲＦ信号が入力される導出端子の存する一辺が配線基板の長手方向一端寄りの辺となるように実装配置されており、かつ第２の集積回路は、受信ＲＦ信号が入力される導出端子の存する一辺が配線基板の長手方向他端寄りの辺となるように実装配置されていることが好ましく、こうすることによって、各集積回路の受信信号処理回路部どうしを配線基板上で大きく離隔させることができるため、第１および第２の集積回路どうしの高周波アイソレーションを一層高めることができる。
【０００９】
また、上記の構成において、第１のチューナ回路が局部発振回路の構成要素で第１の集積回路に内設されていない第１の同調用コイルを有しており、この第１の同調用コイルが配線基板の長手方向一端側の隅部に実装配置されていると共に、第２のチューナ回路が局部発振回路の構成要素で第２の集積回路に内設されていない第２の同調用コイルを有しており、この第２の同調用コイルが配線基板の長手方向他端側の隅部に実装配置されていると、特にノイズ源となりやすい第１の同調用コイルと第２の同調用コイルを配線基板上で大きく離隔させることができるため、両チューナ回路の間にシールド板を介設しなくても高周波アイソレーションが確保できるようになる。
【発明の効果】
【００１０】
本発明のダイバーシティ受信用チューナによれば、電源供給用のリードパターンを第１の集積回路と第２の集積回路から略等距離の位置にある分岐部を介して各集積回路へ引き回し、該分岐部から各集積回路に至るリードパターンの最短経路長の和が両集積回路どうしの離間距離よりも十分大きくなるように設定してあるため、両集積回路を電気的に連結する該リードパターンの長さが長くなって、そのインピーダンスが大きくなる。したがって、一方の集積回路の電圧制御発振器等から出力された高周波信号がリードパターンを経由して他方の集積回路へ伝送されても、途中でほとんど減衰してしまうためノイズとはなりにくく、それゆえ第１および第２の集積回路どうしの高周波アイソレーションが高まる。すなわち、このダイバーシティ受信用チューナは、電源供給用のリードパターンを意図的に長く配線することによって、第１および第２のチューナ回路の高周波信号どうしの相互干渉を抑制することができるため、品質が向上させやすい。
【発明を実施するための最良の形態】
【００１１】
発明の実施の形態を図面を参照して説明すると、図１は本発明の第１実施形態例に係るダイバーシティ受信用チューナの主要な構成要素の配置を示す平面図である。
【００１２】
図１に示すダイバーシティ受信用チューナ１は、一辺端に複数の外部接続端子３が設けられた矩形状の配線基板２と、第１の集積回路４を有する第１のチューナ回路と、第２の集積回路５を有する第２のチューナ回路とによって主に構成されており、第１の集積回路４と第２の集積回路５は配線基板２上で長手方向にずらした領域に実装配置されている。外部接続端子３群のうちの一つは電源端子３ａであり、この電源端子３ａは配線基板２上に形成配置されたリードパターン６を介して第１および第２の集積回路４，５に電源を供給するためのものである。
【００１３】
電源端子３ａから配線基板２上へ導出されたリードパターン６は、第１の集積回路４と第２の集積回路５から略等距離の位置に二股の分岐部６ａを有しており、この分岐部６ａから配線基板２の長手方向一端側（図示左端側）へ延びるリードパターン６ｂが、第１の集積回路４の所定の導出端子４ａに導電接続されている。また、分岐部６ａから配線基板２の長手方向他端側（図示右端側）へ延びるリードパターン６ｃが、第２の集積回路５の所定の導出端子５ａに導電接続されている。図１に示すように、分岐部６ａから第１の集積回路４に至るリードパターン６ｂの最短の経路長と、分岐部６ａから第２の集積回路５に至るリードパターン６ｃの最短の経路長との和は、両集積回路４，５どうしの離間距離ｄよりも十分大きくなるように設定されている。
【００１４】
また、第１の集積回路４は、図示せぬ第１の受信アンテナからＲＦ信号が入力される所定の導出端子４ｂが存する一辺４０が、配線基板２の長手方向一端寄りの辺となるような姿勢で実装配置されている。同様に第２の集積回路５は、図示せぬ第２の受信アンテナからＲＦ信号が入力される所定の導出端子５ｂが存する一辺５０が、配線基板２の長手方向他端寄りの辺となるような姿勢で実装配置されている。つまり、第１の集積回路４と第２の集積回路５は、受信ＲＦ信号が入力される導出端子４ｂ，５ｂの存するそれぞれの一辺４０，５０どうしが最も離隔するような姿勢で配線基板２上に実装配置されている。
【００１５】
なお、第１の集積回路４と第２の集積回路５の内部構造は同等であり、図示していないが、電圧制御発振器（ＶＣＯ）からなる局部発振回路や高周波増幅段、高周波信号選択フィルタ、ＰＬＬ回路、周波数ミキサ等が内設されている。
【００１６】
このように構成されたダイバーシティ受信用チューナ１は、電源供給用のリードパターン６を第１の集積回路４と第２の集積回路５から略等距離の位置にある分岐部６ａを介して各集積回路４，５へ引き回し、この分岐部６ａから各集積回路４，５に至るリードパターン６ｂ，６ｃの最短経路長の和が両集積回路４，５どうしの離間距離ｄに比して十分大きくなるように配線レイアウトすることによって、両集積回路４，５を電気的に連結するリードパターン６の長さを意図的に長くして、そのインピーダンスを大きくしている。したがって、一方の集積回路４（５）の電圧制御発振器等から出力された高周波信号がリードパターン６を経由して他方の集積回路５（４）へ伝送されても、途中でほとんど減衰してしまうためノイズとはなりにくく、よって両集積回路４，５の高周波アイソレーションが高まる。すなわち、このダイバーシティ受信用チューナ１は小型化された場合でも、電源供給用のリードパターン６を意図的に長く配線することによって、第１および第２のチューナ回路（第１および第２の集積回路４，５）の高周波信号どうしの相互干渉を抑制することができるため、品質が向上させやすい。
【００１７】
また、このダイバーシティ受信用チューナ１の第１の集積回路４と第２の集積回路５は、受信ＲＦ信号が入力される導出端子４ｂ，５ｂの存するそれぞれの一辺４０，５０どうしが最も離隔するような姿勢で配線基板２上に実装配置されている。こうすることによって、各集積回路４，５の受信信号処理回路部どうしを配線基板２上で大きく離隔させることができるため、第１および第２の集積回路４，５どうしの高周波アイソレーションが一層高まる。
【００１８】
なお、第１の集積回路４と第２の集積回路５にそれぞれ内設されている回路部分の一部（例えばＰＬＬ回路等）を、共有回路として両集積回路４，５とは別の領域に実装配置してもよく、こうすることによって両集積回路４，５の製造コストが低減できる。
【００１９】
図２は本発明の第２実施形態例に係るダイバーシティ受信用チューナの主要な構成要素の配置を示す平面図であって、図１と対応する部分には同一符号が付してあるため重複する説明は省略する。
【００２０】
図２に示すダイバーシティ受信用チューナ１０において、第１のチューナ回路は、局部発振回路の構成要素で第１の集積回路４に内設されていない第１の同調用コイル８を有しており、同様に第２のチューナ回路は、局部発振回路の構成要素で第２の集積回路５に内設されていない第２の同調用コイル９を有している。そして、第１の同調用コイル８が配線基板２の長手方向一端側の隅部に実装配置されており、第２の同調用コイル９が配線基板２の長手方向他端側の隅部に実装配置されている。こうすることによって、特にノイズ源となりやすい第１の同調用コイル８と第２の同調用コイル９を配線基板２上で大きく離隔させることができるため、両チューナ回路の間にシールド板を介設しなくても高周波アイソレーションを確保できるようになる。
【図面の簡単な説明】
【００２１】
【図１】本発明の第１実施形態例に係るダイバーシティ受信用チューナの主要な構成要素の配置を示す平面図である。
【図２】本発明の第２実施形態例に係るダイバーシティ受信用チューナの主要な構成要素の配置を示す平面図である。
【符号の説明】
【００２２】
１，１０  ダイバーシティ受信用チューナ
２  配線基板
３  外部接続端子
３ａ  電源端子
４  第１の集積回路
４ａ，４ｂ  導出端子
５  第２の集積回路
５ａ，５ｂ  導出端子
６  リードパターン
６ａ  分岐部
８  第１の同調用コイル
９  第２の同調用コイル
【図１】
2008301096.tif 000003
【図２】
2008301096.tif 000004